(57)【要約】【課題】容器本体１０の内圧が高くなることによる不具合を回避する。【解決手段】容器本体１０と、容器本体１０の口部１１に圧入し、吐出孔２４を有するノズル体２０と、ノズル体２０に内装し、押込み形の栓体３３を有する栓部材３０と、ねじ式のキャップ４０とを設け、栓体３３の上端、吐出孔２４の下端にそれぞれ互いに当接する斜面３５、２５を形成し、斜面２５に径方向の溝２５ａ、２５ａ…を形成する。【選択図】図１
2016155571.tif 000002
【特許請求の範囲】
【請求項１】
薬液を収容する容器本体と、該容器本体の口部に圧入し、上向きの吐出孔を上端に開口するノズル体と、該ノズル体に内装し、前記吐出孔を開閉する押込み形の栓体を有する栓部材と、前記容器本体の口部に装着するねじ式のキャップとを備えてなり、前記栓部材は、前記栓体を上向きに付勢する複数の螺旋状のばね片を一体成形し、前記栓体の上端、前記吐出孔の下端には、それぞれ互いに当接する上向き、下向きのリング状の斜面を形成し、該斜面の一方には、複数の径方向の溝を形成することを特徴とする塗布容器。
【請求項２】
前記キャップは、全閉位置において前記ノズル体の上端面に密接して前記吐出孔の周りをシールするシールリングを天面に垂設することを特徴とする請求項１記載の塗布容器。
【請求項３】
前記シールリングの下端には、前記ノズル体の上端面に当接する小径のシールリブと、前記ノズル体の上端の外周縁に密着する大径のシールリブとを形成することを特徴とする請求項２記載の塗布容器。
【請求項４】
前記各溝は、前記吐出孔が閉じているとき、前記容器本体内の薬液が流出しないような断面積に設定することを特徴とする請求項１ないし請求項３のいずれか記載の塗布容器。
【請求項５】
請求項１ないし請求項４のいずれか記載の塗布容器に外用薬液が収容されてなる医薬。
【請求項６】
外用薬液が、鎮痛剤、水虫薬、鎮痒剤、痔疾用剤、養毛剤のいずれかである請求項５記載の医薬。
【発明の詳細な説明】
【技術分野】
【０００１】
この発明は、押込み形の栓体を有し、吐出孔からの薬液を塗布する塗布容器と、それを使用する医薬に関する。
【背景技術】
【０００２】
押込み形の栓体を介して吐出孔を開閉し、吐出孔からの薬液を塗布する塗布容器は、たとえば外気温が高くなると薬液容器内の内圧が高くなり、使用開始時に過大な量の薬液が一時的に吐出されてしまうことがある。このような不具合は、たとえばアルコールのような揮発性の溶剤を含む薬液の場合に殊に発生しがちである。そこで、使用開始に先き立ってキャップを緩めると、それに伴って薬液容器の内圧を自動的に放出し、過大な量の薬液の吐出事故を防止することができる塗布容器が提案されている（たとえば特許文献１）。
【０００３】
すなわち、従来の塗布容器のキャップは、薬液容器の口部の雄ねじに適合する雌ねじを有し、押込み形の栓体に対向する突部が天面に形成され、突部の周りには、押込み形の栓体を内装するノズル体の上端面に垂下してシールするシーリングが形成されている。そこで、使用開始に先き立ってキャップを開方向に回転させると、シールリングの下端がノズル体の上端面から離れてシールが破壊される一方、キャップ側の突部を介して押込み形の栓体が押されてノズル体の吐出孔が開いているため、薬液容器の内圧を外部に有効に放出させることができる。
【先行技術文献】
【特許文献】
【０００４】
【特許文献１】特開平９−６６９５９号公報
【発明の概要】
【発明が解決しようとする課題】
【０００５】
かかる従来技術によるときは、キャップは、使用時を除いて常時突部を介して押込み形の栓体を押し下げているため、栓体を上向きに付勢するばね片にへたりを生じたり、それに起因して塗布時に薬液のぼた落ちを生じたりすることが起こりがちであるという問題があった。
【０００６】
そこで、この発明の目的は、かかる従来技術の問題に鑑み、吐出孔を開閉するための液止め用の斜面の一方にガス抜き用の溝を形成することによって、容器本体の内圧が高くなることによる不具合を簡単に回避することができる塗布容器と、それを使用する医薬を提供することにある。
【課題を解決するための手段】
【０００７】
かかる目的を達成するためのこの出願に係る第１発明（請求項１の発明をいう、以下同じ）の構成は、薬液を収容する容器本体と、容器本体の口部に圧入し、上向きの吐出孔を上端に開口するノズル体と、ノズル体に内装し、吐出孔を開閉する押込み形の栓体を有する栓部材と、容器本体の口部に装着するねじ式のキャップとを備えてなり、栓部材は、栓体を上向きに付勢する複数の螺旋状のばね片を一体成形し、栓体の上端、吐出孔の下端には、それぞれ互いに当接する上向き、下向きのリング状の斜面を形成し、斜面の一方には、複数の径方向の溝を形成することをその要旨とする。
【０００８】
なお、キャップは、全閉位置においてノズル体の上端面に密接して吐出孔の周りをシールするシールリングを天面に垂設することができ、シールリングの下端には、ノズル体の上端面に当接する小径のシールリブと、ノズル体の上端の外周縁に密着する大径のシールリブとを形成することができる。
【０００９】
また、各溝は、吐出孔が閉じているとき、容器本体内の薬液が流出しないような断面積に設定してもよい。
【００１０】
第２発明（請求項５の発明をいう、以下同じ）の構成は、第１発明に係る塗布容器に外用薬液が収容されてなることをその要旨とする。
【００１１】
なお、外用薬液が、鎮痛剤、水虫薬、鎮痒剤、痔疾用剤、養毛剤のいずれかであってもよい。
【発明の効果】
【００１２】
かかる第１発明の構成によるときは、栓部材は、ノズル体に内装され、螺旋状のばね片を介して付勢する押込み形の栓体を介してノズル体の上端の吐出孔を開閉することができる。なお、押込み形の栓体には、吐出孔を貫通してノズル体の上端に突出する突出部が形成されている。また、栓体の上端、吐出孔の下端には、それぞれ互いに当接する上向き、下向きのリング状の斜面が形成され、斜面の一方には、複数の径方向の溝が形成されている。そこで、薬液の塗布に先き立ち、斜面の一方の溝を介して容器本体内の内圧を外部に放出させることができる。ただし、上向き、下向きの斜面は、吐出孔が閉じているときの液止め用であり、斜面の一方の溝は、吐出孔が閉じていても容器本体の内部をキャップ側に連通させるガス抜き用である。
【００１３】
キャップの天面に垂設するシールリングは、キャップの全閉位置においてノズル体の上端面に密接して吐出孔の周りを液密にシールすることにより、保管中、輸送中の温度上昇や、振動、衝撃などによっても、容器本体からの液漏れを有効に防止することができる。なお、シールリングの下端の小径のシールリブ、大径のシールリブは、同心円状の２重のシール構造を形成し、液漏れを一層完全に防止することができる。ただし、小径のシールリブは、ノズル体の上端面に当接してノズル体を弾性変形させ、大径のシールリブは、ノズル体の上端の外周縁に密着してノズル体の過大な変形を防止する。
【００１４】
液止め用の斜面の一方に形成する溝は、１本当たりの断面積をたとえば０．１〜０．３mm2 程度とし、容器本体内の薬液が表面張力により実質的に外部に流出しないように設定することができる。
【００１５】
第２発明の構成によるときは、塗布容器は、キャップを取り外して開封することにより、内部の外用薬液を患部などに塗布することができる。なお、塗布容器に収容する外用薬液は、鎮痛剤、水虫薬、鎮痒剤、痔疾用剤、養毛剤のいずれであってもよい。
【図面の簡単な説明】
【００１６】
【図１】要部構成説明図
【図２】ノズル体の構成説明図
【図３】栓部材の構成説明図
【図４】要部構成説明図
【図５】動作状態を説明する図１相当図
【図６】他の実施の形態を示す図２相当図
【図７】他の実施の形態を示す栓部材の構成説明図
【発明を実施するための形態】
【００１７】
以下、図面を以って発明の実施の形態を説明する。
【００１８】
塗布容器は、容器本体１０、ノズル体２０、栓部材３０の他、ねじ式のキャップ４０を備えてなる（図１）。ただし、図１（Ａ）は、要部拡大正面半断面図であり、図１（Ｂ）は、同図（Ａ）の要部拡大図である。
【００１９】
容器本体１０は、上向きの口部１１を有する有底円筒状の容器であり、所定量の図示しない薬液が収容されている。口部１１の外周には、キャップ４０用の雄ねじ１２が形成されている。容器本体１０は、たとえばポリプロピレンなどのプラスチック材料により一体成形されている。
【００２０】
ノズル体２０は、中間の外フランジ２１、下部のスカート部２２、上部のノズル部２３を有する中空の円筒体である（図２）。ただし、図２（Ａ）〜（Ｃ）は、それぞれノズル体２０の縦断面図、上面図、底面図であり、図２（Ｄ）は、同図（Ａ）の要部拡大図である。スカート部２２は、中間部において外径を下向きテーパ状に縮径して小径部２２ａを形成し、下部内周に上下２段の係合リブ２２ｂ、２２ｂが形成されている。また、スカート部２２の内面上端には、外フランジ２１の下面よりやや高い位置に下向きの段部２２ｃが形成されている。
【００２１】
ノズル部２３は、先細のテーパ状に形成されており、ノズル部２３の上端部は、さらに上向きテーパ状に縮径されている。ノズル部２３の上端面には、円形の吐出孔２４が上向きに開口されている。吐出孔２４の下端には、下向きのリング状の斜面２５が形成されており、斜面２５には、径方向の溝２５ａ、２５ａ…が放射状に形成されている。また、斜面２５の下端は、短い直線部２５ｂ、下向きのテーパ部２５ｃを介してノズル部２３の内面に連続している。ノズル体２０は、たとえば低密度ポリエチレンなどのプラスチック材料により一体成形されている。
【００２２】
栓部材３０は、上下開放の略円筒状のベース部３１、螺旋状のばね片３２、３２…、上部の押込み形の栓体３３、上端の突出部３４を一体成形している（図３）。ただし、図３（Ａ）〜（Ｃ）は、それぞれ栓部材３０の全体正面図、縦断面図、上面図である。
【００２３】
ベース部３１の下部外周には、下向きの係合リブ３１ａが形成されており、ベース部３１の上端には、上向きテーパ状の小径部３１ｂが形成されている。また、下向き略円筒状の栓体３３は、上向きのリング状の斜面３５を上端に形成し、突出部３４は、栓体３３の上面に突設されている。なお、突出部３４は、上面視Ｙ字状に形成されている。
【００２４】
ばね片３２、３２…は、ベース部３１と栓体３３とを弾発的に連結している。ばね片３２、３２…は、共通の軸まわりに互いに等ピッチの螺旋状に形成されており、フリー状態から軸方向に圧縮することにより（図３（Ａ）の矢印Ｋ1 方向）、上向きの反発力を発生して栓体３３を上向きに付勢することができる。栓体３３、フリー状態のばね片３２、３２…の全体外形は、下向きに僅かに拡径する一連のテーパ状に形成されている。
【００２５】
栓部材３０は、ノズル体２０に内装されている（図４）。ただし、図４（Ａ）、（Ｂ）は、それぞれノズル体２０、栓部材３０の組立縦断図面、上面図であり、図４（Ｃ）は、同図（Ａ）の要部拡大図である。
【００２６】
栓部材３０は、ノズル体２０のスカート部２２側から上向きに挿入され、前者のベース部３１は、外周の係合リブ３１ａがスカート部２２の内周の係合リブ２２ｂ、２２ｂに係合することによりスカート部２２内に位置決めされている。また、栓部材３０の栓体３３は、斜面３５がノズル体２０の斜面２５に対向して当接することにより吐出孔２４を内側から閉じるとともに、斜面２５の各溝２５ａを介して液止め用の斜面２５、３５を内外に連通させている。なお、栓部材３０の突出部３４は、吐出孔２４を下から上に貫通してノズル体２０の上端に突出している。また、栓部材３０のばね片３２、３２…は、ノズル体２０内においてフリー状態より短縮されており、栓体３３を上向きに付勢している。栓部材３０は、たとえば低密度ポリエチレンのような弾性を有するプラスチック材料により一体成形されている。
【００２７】
栓部材３０は、突出部３４を下向きに押すと（図４（Ａ）の矢印Ｋ2 方向）、栓体３３を押し下げて吐出孔２４を開くことができ、突出部３４に加える押圧力を除去すると、ばね片３２、３２…を介して栓体３３が上昇し、吐出孔２４を閉じることができる。すなわち、栓体３３は、吐出孔２４を開閉する押込み形となっている。
【００２８】
ノズル体２０は、栓部材３０を内装して、容器本体１０の口部１１に圧入して装着することができる（図１）。すなわち、ノズル体２０は、外フランジ２１の下面が口部１１の上端面に当接することによりスカート部２２が口部１１に圧入されて抜止めされている。
【００２９】
キャップ４０は、容器本体１０の雄ねじ１２に適合する雌ねじ４１が下部内周面に形成されており、雄ねじ１２、雌ねじ４１を介して容器本体１０の口部１１に着脱自在に装着されている。キャップ４０の天面には、環状のシールリング４２が垂設されている。なお、シールリング４２の下端には、大径、小径のシールリブ４２ａ、４２ｂが下向きに同心円状に形成されている。キャップ４０は、たとえばポリプロピレンなどのプラスチック材料により一体成形されている。
【００３０】
キャップ４０は、ノズル体２０と、ノズル体２０の上端に突出する突出部３４とをカバーするようにして容器本体１０の口部１１に装着し（図１（Ａ））、全閉位置に締め込むことができる。このとき、キャップ４０の天面のシールリング４２は、ノズル体２０の上端面に密接して吐出孔２４の周りをシールする（図１（Ｂ））。すなわち、シールリング４２の下端の小径のシールリブ４２ｂは、ノズル体２０の上端面に当接し、大径のシールリブ４２ａは、ノズル体２０の上端の外周縁に密着し、両者は、同心円状の２重のシール構造を形成することができる。また、このとき、栓部材３０の押込み形の栓体３３は、ばね片３２、３２…を介して上向きに付勢され、ノズル体２０の吐出孔２４を内側から閉じている。ただし、吐出孔２４は、斜面２５の各溝２５ａを介して内外に連通している（図４（Ｃ））。
【００３１】
容器本体１０内の薬液を使用するときは、それに先き立って、全閉位置のキャップ４０を開方向に回転させる（図５（Ａ）の矢印Ｋ3 方向）。ただし、図５（Ａ）、（Ｂ）は、それぞれ動作状態を示す図１（Ａ）、（Ｂ）相当図である。このとき、キャップ４０は、雄ねじ１２、雌ねじ４１を介して口部１１から外れる方向に上昇し、天面のシールリング４２がノズル体２０の上端面から離れてシールリブ４２ａ、４２ｂによるシール構造が破壊される（図５（Ｂ））。そこで、容器本体１０内の内圧は、斜面２５の各溝２５ａ、吐出孔２４を介して外部に放出することができる（図５（Ｂ）の各矢印方向）。すなわち、斜面２５の各溝２５ａは、容器本体１０の内圧を放出させるガス抜き用となっている。
【００３２】
その後、キャップ４０を開方向にさらに回転させ、キャップ４０を容器本体１０の口部１１から取り外すと、ノズル体２０、突出部３４が外部に露出する。そこで、全体を倒立させて突出部３４を患部などに押し当ててノズル体２０の吐出孔２４を開き、容器本体１０からの薬液を塗布することができる。なお、容器本体１０の内圧は、キャップ４０を取り外すに先立って外部に放出されているため、塗布作業の最初に過大な量の薬液が不用意に吐出されるようなことはない。ただし、斜面２５の各溝２５ａは、全体を倒立させるだけでは容器本体１０内の薬液が実質的に流出しないように、十分小さい断面積に設定されている。
【他の実施の形態】
【００３３】
ノズル体２０は、下向きのリング状の斜面２５の径方向の溝２５ａ、２５ａ…を少数にして幅広に形成することができる（図６）。ただし、図６（Ａ）〜（Ｄ）は、それぞれ図２（Ａ）〜（Ｄ）相当図である。
【００３４】
なお、図６において、斜面２５の各溝２５ａの部分に代えて、それ以外の略三角形の各部分を溝２５ａ、２５ａ…としてもよい。このときの各溝２５ａは、吐出孔２４側に開口する端部を極めて小さい幅にして、薬液の流出を阻止するための小断面積を一層容易に実現することができる。
【００３５】
ノズル体２０の斜面２５の溝２５ａ、２５ａ…は、栓部材３０の斜面３５の溝３５ａ、３５ａ…に代えることができる（図７）。ただし、図７（Ａ）、（Ｂ）は、それぞれ栓部材３０の正面図、上面図であり、図７（Ｃ）は、同図（Ａ）の要部拡大図である。すなわち、ガス抜き用の各溝２５ａ、３５ａは、斜面２５、３５のいずれか一方に形成すればよい。また、各溝２５ａ、３５ａの形態は、それぞれ図２、図６、図７のいずれに準じて形成してもよく、図示以外の任意の形態にしてもよい。ただし、各溝２５ａ、３５ａは、それぞれリング状の斜面２５、３５の径方向に、斜面２５、３５を横切るように形成するものとする。
【産業上の利用可能性】
【００３６】
この発明は、たとえば鎮痛剤、水虫薬、鎮痒剤、痔疾用剤、養毛剤等として用いられる外用液剤などを収容する用途に広く好適に適用することができる。外用液剤に含有せしめる有効成分としては、たとえば、インドメタシン、ケトプロフェン、サリチル酸、サリチル酸グリコール、サリチル酸メチル、ジクロフェナクナトリウム、フェルビナク、ロキソプロフェンナトリウム水和物等の消炎鎮痛剤；ウンデシレン酸、ウンデシレン酸亜鉛、フェニル−１１−ヨード−１０−デンデシノエート、エキサラミド、塩酸テルビナフィン、塩酸ブテナフィン、クロトリマゾール、硝酸エコナゾール、硝酸ミコナゾール、チオコナゾール、ジエチルジチオカルバミン酸亜鉛、シクロピロクスオラミン、シッカニン、トリコマイシン、ピロールニトリン、チアントール、２，４，６−トリブロムフェニルカプロン酸エステル、トリメチルセチルアンモニウムペタンクロロフェネート、トルシクラート、トルナフタート、ルリコナゾール、ラノコナゾール等の抗白癬菌剤；コルチゾン酢酸エステル、デキサメタゾン酢酸エステル、デキサメタゾン、ヒドロコルチゾン酢酸エステル、ヒドロコルチゾン、プレドニゾロン酢酸エステル、プレドニゾロン、ヒドロコルチゾン酪酸エステル、プレドニゾロン吉草酸エステル酢酸エステル等の副腎皮質ホルモン；アミノ安息香酸エチル、塩酸ジブカイン、塩酸プロカイン、塩酸リドカイン、ジブカイン、リドカイン等の局所麻酔剤；塩酸ナフォゾリン、塩酸フェニレフリン等の血管収縮剤、塩酸ジフェニルピラリン、塩酸ジフェンヒドラミン、クロルフェニラミン、ジフェンヒドラミン、マレイン酸クロルフェニラミン等の抗ヒスタミン剤；クロタミン；肝油、パルミチン酸レチノール、ビタミンＡ油、酢酸トコフェロール、トコフェロール、パンテノール等のビタミン類；カンフル、ハッカ油、ボルネオール、メントール、ユーカリ油等のテルペン類；グリチルリチン酸、グリチルリチン酸二カリウム、グリチルレチン酸等のグリチルリチン酸類等を挙げることができ、これらは適宜１種又は２種以上を用いることができ、公知の製剤化技術を用いて外用液剤を製することができる。
【符号の説明】
【００３７】
１０…容器本体
１１…口部
２０…ノズル体
２４…吐出孔
２５…斜面
２５ａ…溝
３０…栓部材
３２…ばね片
３３…栓体
３５…斜面
３５ａ…溝
４０…キャップ
４２…シールリング
４２ａ、４２ｂ…シールリブ
特許出願人    興和株式会社                                                                    伸晃化学株式会社
【図１】
2016155571.tif 000003
【図２】
2016155571.tif 000004
【図３】
2016155571.tif 000005
【図４】
2016155571.tif 000006
【図５】
2016155571.tif 000007
【図６】
2016155571.tif 000008
【図７】
2016155571.tif 000009